(57)【要約】      （修正有）【課題】屋外に設置する燃料油タンク等において、鍵を取り付けるために係合片を溶着構造で取り付けるような煩わしさが無く、かつ構造が簡単で安価に提供できる給油口蓋の施錠装置を提供する。【解決手段】給油口ニップル６にかぶせられ給油口蓋１０を所定角度以上回して給油口ニップル６に係合する給油口蓋１０において、給油口蓋１０の周縁１１に係合する回り止め金具２０を設け、タンク上面１ａの給油口ニップル６以外の付属物５と回り止め金具２０を鍵２１にて係合施錠し、回り止め金具２０と鍵２１は給油口蓋１０が所定角度以下の回転しか許容しないよう緊張状態の長さとした。【選択図】図３
2004284644.tif 000002
【特許請求の範囲】
【請求項１】
燃料油を貯蔵するタンク等の、タンク上面に円筒形の給油口ニップルを設け、給油口ニップルにかぶせられ給油口蓋を所定角度以上回して給油口ニップルに係合する給油口蓋において、給油口蓋の周縁に係合する回り止め金具を設け、タンク上面の給油口ニップル以外の付属物と回り止め金具を鍵にて係合施錠し、回り止め金具と鍵は給油口蓋が所定角度以下の回転しか許容しないよう緊張状態の長さとし、かつ鍵を開錠してタンク上面の給油口ニップル以外の付属物より回り止め金具を離脱可能とした燃料油タンク等における給油口蓋の施錠装置。
【発明の詳細な説明】
【０００１】
【発明の属する技術分野】
本発明は、寒冷地で使用される燃料油ストーブや暖房用ボイラー等の燃料油（主に白灯油）タンク、自動車修理工場のエンジンオイル貯蔵タンク等で、主に屋外に設置する燃料油タンク等の給油口蓋に関する。
【０００２】
【従来の技術】
【特許文献１】実公平５−２３９５５号公報
【０００３】
このような燃料油タンク等の給油口蓋は、給油口から油をタンク内に給油した後、タンク内に雨やゴミが入らないようにするためのものであるが、屋外に設置する燃料油タンク等では、夜間に給油口蓋を開けて油を抜き取る事件や、異物を混入される危険がある。
【０００４】
この種の従来の給油口蓋は、タンク上面に垂直方向を中心軸とする円筒形の給油口ニップルを溶着して設け、給油口ニップルの外径に雄ネジを設け、給油口ニップルにかぶせられる給油口蓋の内径に雌ネジを設け、給油口蓋を給油口ニップルに締め込んでいた。
【０００５】
上記のような給油口蓋では、誰でも容易に開閉できるため、鍵の所有者のみが開閉できるようにした給油口蓋も知られている。
【０００６】
例えば、給油口蓋全体を覆う蓋覆体と給油口ニップルに係合片を取り付け、給油口蓋を締め込んだ後から蓋覆体を取り付け、蓋覆体の孔と係合片の孔を鍵で固定するものが知られている。この場合、鍵で蓋覆体が取り外し不能で、かつ回転しないよう取り付けられ、給油口蓋も回して開けることができないものである。
【０００７】
また、給油口ニップルと給油口蓋に係合片を取り付け、給油口蓋を締め込んだとき両係合片が合い、その両係合片の孔を鍵で固定するものが知られている。
【０００８】
また、実公平５−２３９５５号公報に示されるように、口金（給油口ニップル）に蓋を固着し、蓋全体を包囲するカバー体を設け、カバー体の鍵を回すとカバー体のラッチボルトが蓋の受溝に係脱する錠前ユニットのものが提案されている。
【０００９】
この場合、カバー体や蓋は回して開閉するものではなく、鍵を回すことによりカバー体を開閉できるものである。
【００１０】
【発明が解決しようとする課題】
上記の蓋覆体によるものでは、給油口蓋の締め込み具合に左右されること無く施錠できる。しかし、給油口ニップルに係合片を取り付けるのは、容易に取り外せないよう溶着する必要があり、最初から鍵付のタンク用として製造しなければならない。しかも、係合片を取り付けただけの、ほんの僅かに異なるタンクを在庫や流通の段階で区別する必要があり、煩わしい。
【００１１】
また、給油口ニップルと給油口蓋に両係合片を取り付けたものは、給油口蓋を締め込んだとき両係合片が合う必要があり、一品ごとに現物合わせで溶着する必要があり、煩わしい。
【００１２】
上記の特許文献１のような、口金に蓋を固着し、蓋全体を包囲するカバー体を設けたものでは、構造が複雑で安価に提供できない。
【００１３】
そこで本発明は、鍵を取り付けるために係合片を溶着構造で取り付けるような煩わしさが無く、かつ構造が簡単で安価に提供できる給油口蓋の施錠装置を提供することを目的とする。
【００１４】
【課題を解決するための手段】
本発明の燃料油タンク等における給油口蓋の施錠装置は、燃料油を貯蔵するタンク等１の、タンク上面１ａに円筒形の給油口ニップル６を設け、給油口ニップル６にかぶせられ給油口蓋１０を所定角度以上回して給油口ニップル６に係合する給油口蓋１０において、給油口蓋１０の周縁１１に係合する回り止め金具２０を設け、タンク上面１ａの給油口ニップル６以外の付属物３，５と回り止め金具２０を鍵２１にて係合施錠し、回り止め金具２０と鍵２１は給油口蓋１０が所定角度以下の回転しか許容しないよう緊張状態の長さとし、かつ鍵２１を開錠してタンク上面１ａの給油口ニップル６以外の付属物３，５より回り止め金具２０を離脱可能としたものである。
【００１５】
【発明の実施の形態】
本発明では、給油口ニップル６にかぶせられ給油口蓋１０を所定角度以上回して給油口ニップル６に係合する給油口蓋１０において、給油口蓋１０の周縁１１に係合する回り止め金具２０を設け、タンク上面１ａの給油口ニップル６以外の付属物３，５と回り止め金具２０を鍵２１にて係合施錠するから、給油口蓋１０と回り止め金具２０はタンク等１に溶着されるものではなく、後から部品として供給できる。
【００１６】
また、回り止め金具２０と鍵２１は給油口蓋１０が所定角度以下の回転しか許容しないよう緊張状態の長さとし、かつ鍵２１を開錠してタンク上面１ａの給油口ニップル６以外の付属物３，５より回り止め金具２０を離脱可能としたから、回り止め金具２０と鍵２１で給油口蓋１０の回転を規制して施錠し、回転を許容して開錠するもので、構成部品の数も少なく構造が簡単と成る。
【００１７】
【実施例】
以下、本発明の一実施例を図面を参照して説明する。
【００１８】
第１図に示すのは燃料油を貯蔵するタンク等としての燃料油タンクであり、約５００リットルの灯油を貯蔵する家庭用の屋外に設置されるもので、燃料油を貯蔵する略立方体のタンク１と、その両端に設けた４本の脚２と、その上部に設けた燃料油の量を計測するゲージ３と、その下部に設けたバルブとストレーナーからなる送油口４と、その上部に設けたエアー抜き５と、その上部に設けた密閉できる給油口蓋１０とからなる。
【００１９】
脚２はその下端を束石により設置される地面に固定され、タンク１が地震などで転倒しないようにする。
【００２０】
送油口４には燃料油ストーブ等と送油管で連結され、燃料油はその自重により送油される。
【００２１】
タンク１の上部の水平なタンク上面１ａには、給油口ニップル６以外の付属物としてのゲージ３やエアー抜き５を設け、ゲージ３はタンク１内の油量を表示し、エアー抜き５はタンク１内外を連通し燃料油の消費に伴い空気をタンク１内に導入するものである。
【００２２】
ゲージ３やエアー抜き５と並んで、垂直方向を中心軸とする円筒形の給油口ニップル６を溶着して設け、給油口ニップル６に給油口蓋１０がかぶせられる。
【００２３】
給油口ニップル６はタンク上面１ａの孔にはめ込まれ、その取り付け面の外周を雨水が侵入しないよう溶接により固定している。給油口ニップル６は中空な鋼管でタンク１内と外部とを連通し、給油口ニップル６の外径上部に雄ネジを設けている。
【００２４】
給油口ニップル６にかぶせられる給油口蓋１０は、上部のドーム状円形の天井と、その天井の周縁から下方に設けた略円筒形の周縁１１ととからなる。給油口蓋１０の内径に雌ネジを設け、給油口蓋１０をその雌ネジで給油口ニップル６の雄ネジに締め込んで所定角度以上回して取り付ける。実施例では、約７２０度（２回転）の所定角度以上回して取り付けるようにした。
【００２５】
本実施例では、給油口蓋１０の周縁１１に係合する回り止め金具としてのワイヤーロープ２０を示しており、周縁１１に複数の係合孔１２を設け、ワイヤーロープ２０はその係合孔１２を通して給油口蓋１０に係合され、ワイヤーロープ２０の両端部にループ２０ａが設ける。
【００２６】
ワイヤーロープ２０の一端を、タンク上面１ａの給油口ニップル６以外の付属物としてのエアー抜き５を回して係合し、両ループ２０ａを鍵２１にて係合施錠する。鍵２１は、一般に市販されているＵの字状金具が係脱する安価なものである。
【００２７】
ワイヤーロープ２０の長さは、エアー抜き５から給油口蓋１０まで、ワイヤーロープ２０と鍵２１、及び給油口蓋１０の周縁１１に設けた係合孔１２がほぼ一直線に並ぶ、緊張状態の長さとする。なお、複数の係合孔１２は給油口蓋１０を締め込んだときエアー抜き５に一番近くなる係合孔１２を使用する。
【００２８】
また、ワイヤーロープ２０と鍵２１は、ワイヤーロープ２０の長さの余裕、ループ２０ａと鍵２１の係合ガタ等により、給油口蓋１０が所定角度以下の回転しか許容しないようにする。本実施例では、給油口蓋１０の周縁１１に設けた係合孔１２が３個で、約７２０度（２回転）の所定角度以上回して取り付け、約４５度の所定角度以下の回転しか許容しないようにした。
【００２９】
なお、鍵２１を開錠してエアー抜き５よりワイヤーロープ２０を離脱可能とし、ワイヤーロープ２０と共に給油口蓋１０を回して開けることができる。
【００３０】
以上の実施例では、回り止め金具としてワイヤーロープ２０の例を示したが、回り止め金具は鎖や樹脂ロープなど、折り畳むことができるか柔軟で給油口蓋１０を回し易く、容易に切断されないものであれば良い。
【００３１】
また、給油口蓋１０の周縁１１の係合孔１２を通して回り止め金具としてのワイヤーロープ２０を係合する例を示したが、ワイヤーロープ２０のループ２０ａを係合孔１２にリベットなどで容易に離脱しないよう係合しても良い。
【００３２】
また、給油口ニップル６以外の付属物としてエアー抜き５に係合する回り止め金具２０の例を示したが、回り止め金具２０をゲージ３に係合するようにしても良いし、それ以外のものに係合するようにしても良い。
【００３３】
また、ワイヤーロープ２０の両ループ２０ａを鍵２１にて係合施錠する例を示したが、ワイヤーロープの一端に鍵が一体に取り付けられているものでも良いし、一端のループ２０ａとワイヤーロープ２０の中間部を鍵２１にて係合施錠するようにしても良い。
【００３４】
また、給油口ニップル６の雄ネジに給油口蓋１０の雌ネジで取り付ける例を示したが、雄ネジと雌ネジは逆にしても良い。
【００３５】
また同じく、給油口蓋１０の突起が給油口ニップル６の係合切欠きに係合し、給油口蓋１０を約９０度程度の所定角度回して取り付けるようにしても良い。この場合、ワイヤーロープ２０と鍵２１は給油口蓋１０がその所定角度以下（約１５度程度）の回転しか許容しないようにする必要がある。
【００３６】
【発明の効果】
本発明によれば、給油口ニップルにかぶせられ給油口蓋を所定角度以上回して給油口ニップルに係合する給油口蓋において、給油口蓋の周縁に係合する回り止め金具を設け、タンク上面の給油口ニップル以外の付属物と回り止め金具を鍵にて係合施錠し、給油口蓋と回り止め金具はタンク等に溶着されるものではなく、後から部品として供給できるから、施錠装置付の燃料油タンク等を在庫や流通の段階でも煩わしさ無く提供できる。
【００３７】
また、回り止め金具と鍵は給油口蓋が所定角度以下の回転しか許容しないよう緊張状態の長さとし、かつ鍵を開錠してタンク上面の給油口ニップル以外の付属物より回り止め金具を離脱可能とし、回り止め金具と鍵で給油口蓋の回転を規制して施錠し、回転を許容して開錠するもので、構成部品の数も少なく構造が簡単と成るから、安価に提供できる。
【図面の簡単な説明】
【図１】燃料油タンク等における給油口蓋の施錠装置の一実施例を示す正面図である。
【図２】その平面図である
【図３】図１の一部を切り欠いた要部を示す部分拡大図である。
【図４】図２の要部を示す部分拡大図である。
【図５】回り止め金具としてのワイヤーロープの平面図である。
【符号の説明】
１  燃料油を貯蔵するタンク等としてのタンク
１ａ  タンク上面
３  給油口ニップル以外の付属物としてのゲージ
５  給油口ニップル以外の付属物としてのエアー抜き
６  給油口ニップル
１０  給油口蓋
１１  周縁
２０  回り止め金具としてのワイヤーロープ
２１  鍵
【図１】
2004284644.tif 000003
【図２】
2004284644.tif 000004
【図３】
2004284644.tif 000005
【図４】
2004284644.tif 000006
【図５】
2004284644.tif 000007